(57)【要約】【課題】積層コンデンサの浮遊静電容量の寄生を無くす。【解決手段】誘電体素体１２内に５層の内部電極が上から順に配置され、最外層に内部電極２１が配置される。信号用端子電極３１〜３８が、誘電体素体１２の側面１２Ｃをそれぞれ覆う形で、誘電体素体１２の外側に配置され、内部電極２１と接続されるグランド用端子電極３９、４０が誘電体素体１２の側面１２Ｂをそれぞれ覆う形で、誘電体素体１２の外側に配置される。信号用端子電極３１〜３８及びグランド用端子電極３９、４０は、誘電体素体１２の上下面１２Ｄにも、それぞれはみ出す形になる。上下面１２Ｄにはみ出した信号用端子電極３１〜３８のタレ部４１の長さＬ１より、上下面１２Ｄにはみ出したグランド用端子電極３９、４０タレ部４２の長さＬ２が、長くされる。【選択図】  図１
2005019500.tif 000002
【特許請求の範囲】
【請求項１】
誘電体シートを積層方向に沿って複数枚積層して形成されるコンデンサ本体と、
コンデンサ本体内に配置される少なくとも一つの第１内部導体と、
第１内部導体と積層方向で誘電体シートを介してそれぞれ重複する形で、第１内部導体に対してコンデンサ本体の積層方向外層側寄りに配置されて、第１内部導体を挟む形とされる少なくとも二つの第２内部導体と、
第１内部導体に接続されつつコンデンサ本体の側面を覆う形で配置されて、信号用として外部に接続され得る信号用端子電極と、
第２内部導体に接続されつつコンデンサ本体の側面を覆う形で配置されて、接地用として外部に接続され得るグランド用端子電極と、
とを有し、
コンデンサ本体の積層方向の端部を形成する面にはみ出したグランド用端子電極の部分の長さが、コンデンサ本体の積層方向の端部を形成する面にはみ出した信号用端子電極の部分の長さより、長くされることを特徴とする積層コンデンサ。
【請求項２】
コンデンサ本体の積層方向の端部を形成する面にはみ出した信号用端子電極の部分が、積層方向に沿って投影した第２内部導体の部分に重ならないことを特徴とする請求項１記載の積層コンデンサ。
【請求項３】
第１内部導体と第２内部導体とが相互に交差する方向に引き出されるように形成され、信号用端子電極とグランド用端子電極とがコンデンサ本体の相互に異なる側面に配置されたことを特徴とする請求項１或いは請求項２に記載の積層コンデンサ。
【請求項４】
コンデンサ本体の相互に対向する二側面に第１内部導体がそれぞれ引き出されると共に、第１内部導体が引き出される二側面と異なるコンデンサ本体の相互に対向する二側面に第２内部導体がそれぞれ引き出され、
第１内部導体が引き出される二側面に、第１内部導体に接続される信号用端子電極がそれぞれ配置され、
第２内部導体が引き出される二側面に、第２内部導体に接続されるグランド用端子電極がそれぞれ配置されたことを特徴とする請求項１から請求項３の何れかに記載の積層コンデンサ。
【請求項５】
コンデンサ本体が直方体形状に形成されたことを特徴とする請求項４記載の積層コンデンサ。
【請求項６】
第１内部導体が同一面内に複数配置され、これら複数の第１内部導体に対応して信号用端子電極が複数設けられたことを特徴とする請求項１から請求項５の何れかに記載の積層コンデンサ。
【発明の詳細な説明】
【０００１】
【発明の属する技術分野】
本発明は、端子電極と内部導体の重なりを無くすることで浮遊静電容量を小さくした積層コンデンサに係り、特に複数個のコンデンサをセラミック焼結体の内部に収納した積層貫通型コンデンサアレーに好適なものである。
【０００２】
【従来の技術】
電子機器にはチップ状の積層コンデンサがしばしば用いられているが、特にパソコン、ワープロ、携帯電話、コードレス電話及びページャー等の小型の電子機器では、装着スペースが小さいことから、この積層貫通型コンデンの中でも複数のコンデンサを内蔵した形の積層貫通型コンデンサアレーや積層コンデンサアレーが用いられることが多い。そして、従来の積層貫通型コンデンサアレーや積層コンデンサアレーは、下記の各特許文献に例えば開示されている。
【０００３】
例えば積層貫通型コンデンサアレーにおいては、その基体となるセラミック焼結体１１２が、図９で示す内部電極１２１〜１２５を挟みつつ複数のグリーンシートを順次積層して一体に焼結することで、図８で示すように略直方体を呈するように形成されている。
【０００４】
そして、５層の内部電極１２１〜１２５の内のグランドライン用の一対の内部電極１２２、１２４にそれぞれ接続される一対のグランド用端子電極１３９、１４０が、図８で示すようにセラミック焼結体１１２の外表面における両側部の相対して位置する部分に、設けられている。また、この積層貫通型コンデンサアレーは、図９で示すようにセラミック焼結体１１２の内部に収納されたコンデンサの個数（この例では４個）に応じて各対の信号用端子電極１３１〜１３８を設けており、これに伴って複数個のコンデンサを一体的に収納した形に構成されている。
【０００５】
この積層貫通型コンデンサアレーは、上述のように装着スペースが小さい製品に一般的に利用されている。この為、積層貫通型コンデンサアレーの形状も、長さが２．０ｍｍ、幅が１．２５ｍｍ、高さが０．５〜２．０ｍｍ程度或いは、これ以下の長さが１．６ｍｍ、幅が０．８ｍｍ、高さが０．３〜１．０ｍｍや、長さが１．０ｍｍ、幅が０．５ｍｍ、高さが０．２〜０．８ｍｍ等とされ、極めて小型な形状のものが望まれている。
【０００６】
【特許文献１】
特開平９−３５９９８号
【特許文献２】
特開平７−１６９６４９号
【特許文献３】
特開平１１−１５４６２１号
【特許文献４】
特開昭５５−８０３１３号
【０００７】
【発明が解決しようとする課題】
しかし、このように積層貫通型コンデンサアレーが小型化するのに合わせて、セラミック焼結体１１２の上下面への端子電極１３１〜１４０のはみ出した部分であるタレ部１４１、１４２の大きさを制御する必要が生じるようになった。つまり、このタレ部１４１、１４２の大きさを制御しないと、例えば図９に示す最外層の内部電極１２１とタレ部１４２との間で重なりが生じる結果として、この重複部Ｓ１に浮遊静電容量が発生するようになる。
【０００８】
さらに、内部電極１２１とタレ部１４２との間の重なりが一定でない場合には、この浮遊静電容量のばらつきが大きくなり、またこの浮遊静電容量が大きくなるのに伴って、クロストーク等が大きく且つ、寄生発信などで電子回路の特性を大きく劣化させる虞を有している。尚、具体的に示す図１０のグラフから、内部電極とタレ部との間の重なり面積が大きくなるに従って、浮遊静電容量が大きくなるという関係が、理解できる。
【０００９】
この一方、図９に示すように、この積層貫通型コンデンサアレーが搭載される基板４３に、グランド用端子電極１３９、１４０を図示しないはんだにより確実に接続するべく、大きなグランドランド４４をこの基板４３に形成した場合、このグランドランド４４と信号ライン用の内部電極１２５との間の対向部Ｓ２にも浮遊静電容量が発生することになる。そして、この浮遊静電容量の存在によっても、積層貫通型コンデンサアレー全体の静電容量が変化し、これに伴って共振点がずれる結果として、カットオフ周波数がずれてしまう欠点があった。
【００１０】
本発明は上記事実を考慮し、浮遊静電容量の寄生を無くした積層コンデンサを提供することを目的とする。
【００１１】
【課題を解決するための手段】
請求項１による積層コンデンサは、誘電体シートを積層方向に沿って複数枚積層して形成されるコンデンサ本体と、
コンデンサ本体内に配置される少なくとも一つの第１内部導体と、
第１内部導体と積層方向で誘電体シートを介してそれぞれ重複する形で、第１内部導体に対してコンデンサ本体の積層方向外層側寄りに配置されて、第１内部導体を挟む形とされる少なくとも二つの第２内部導体と、
第１内部導体に接続されつつコンデンサ本体の側面を覆う形で配置されて、信号用として外部に接続され得る信号用端子電極と、
第２内部導体に接続されつつコンデンサ本体の側面を覆う形で配置されて、接地用として外部に接続され得るグランド用端子電極と、
とを有し、
コンデンサ本体の積層方向の端部を形成する面にはみ出したグランド用端子電極の部分の長さが、コンデンサ本体の積層方向の端部を形成する面にはみ出した信号用端子電極の部分の長さより、長くされることを特徴とする。
【００１２】
請求項１に係る積層コンデンサによれば、誘電体シートを積層方向に沿って複数枚積層して形成されるコンデンサ本体内に、少なくとも一つの第１内部導体が配置されている。また、この第１内部導体と積層方向において誘電体シートを介してそれぞれ重複した形で、少なくとも二つの第２内部導体が第１内部導体に対してコンデンサ本体の積層方向外層側寄りに配置されており、これら二つの第２内部導体が第１内部導体を挟む形とされている。
【００１３】
さらに、コンデンサ本体の側面を覆う形で配置される信号用端子電極が第１内部導体に接続されており、同じくコンデンサ本体の側面を覆う形で配置されるグランド用端子電極が第２内部導体に接続されている。そして、本請求項では、コンデンサ本体の積層方向の端部を形成する面にはみ出したグランド用端子電極の部分の長さが、このコンデンサ本体の積層方向の端部を形成する面にはみ出した信号用端子電極の部分の長さより、長くされている。
【００１４】
つまり、積層コンデンサは、信号ライン用の第１内部導体とグランドライン用の第２内部導体との間で静電容量を生じさせるが、本請求項の積層コンデンサでは、最外層の内部電極を必ずグランドライン用の第２内部導体とする構成にした。
【００１５】
しかし、単に第２内部導体を最外層の内部電極として配置しただけでは、積層コンデンサの小型化に伴って、信号用端子電極による影響が相対的に大きくなり、信号用端子電極の影響で浮遊静電容量が発生する虞を有するようになる。従って、本請求項では、減衰特性を重視し、グランドライン用の第２内部導体がある程度大きくなっても良いように、コンデンサ本体の積層方向の端部を形成する面にはみ出した信号用端子電極の部分の長さを短くして、この第２内部導体と信号用端子電極のはみ出し部分との重複を無くすようにした。
【００１６】
さらに、このはみ出した信号用端子電極の部分の長さより、同じくコンデンサ本体の積層方向の端部を形成する面にはみ出したグランド用端子電極の部分の長さを長くする構成にして、はみ出した部分の長さが長くなったこのグランド用端子電極で、基板のグランドランドとの間の固着強度を向上するようにした。
【００１７】
以上より本請求項によれば、浮遊静電容量の寄生が無くなって浮遊静電容量の影響による静電容量値の変化を小さく制御できる積層コンデンサが得られるようになり、これに伴いクロストークが小さくなって、寄生発信が無く、発信周波数等の周波数特性のずれが無くなる。
【００１８】
請求項２に係る積層コンデンサによれば、請求項１の積層コンデンサと同様の構成の他に、コンデンサ本体の積層方向の端部を形成する面にはみ出した信号用端子電極の部分が、積層方向に沿って投影した第２内部導体の部分に重ならないという構成を有している。つまり、信号用端子電極のはみ出し部分と第２内部導体とが重ならないように、これらの寸法を管理することで、浮遊静電容量がより小さくなって、浮遊静電容量の影響による静電容量値の変化をより確実に制御できるようになる。
【００１９】
請求項３に係る積層コンデンサによれば、請求項１及び請求項２の積層コンデンサと同様の構成の他に、第１内部導体と第２内部導体とが相互に交差する方向に引き出されるように形成され、信号用端子電極とグランド用端子電極とがコンデンサ本体の相互に異なる側面に配置されたという構成を有している。従って、本請求項によれば、請求項１と同様の作用が生じるだけでなく、コンデンサ本体の側面にこれら端子電極が最適に配置されて、積層コンデンサのより一層の小型化を図ることも可能となる。
【００２０】
請求項４に係る積層コンデンサによれば、請求項１から請求項３の積層コンデンサと同様の構成の他に、コンデンサ本体の相互に対向する二側面に第１内部導体がそれぞれ引き出されると共に、第１内部導体が引き出される二側面と異なるコンデンサ本体の相互に対向する二側面に第２内部導体がそれぞれ引き出され、第１内部導体が引き出される二側面に、第１内部導体に接続される信号用端子電極がそれぞれ配置され、第２内部導体が引き出される二側面に、第２内部導体に接続されるグランド用端子電極がそれぞれ配置されたという構成を有している。
【００２１】
つまり、相互に対向するコンデンサ本体の二側面に第１内部導体が引き出されるのに合わせて、これら二側面に信号用端子電極がそれぞれ配置されることになり、また、相互に対向するコンデンサ本体の二側面に第２内部導体が引き出されるのに合わせて、これら二側面にグランド用端子電極がそれぞれ配置されることになる。従って、コンデンサ本体が有する側面を有効に利用して小型化を図りつつ、請求項１の作用効果をより確実に達成できるようになる。
【００２２】
請求項５に係る積層コンデンサによれば、請求項４の積層コンデンサと同様の構成の他に、コンデンサ本体が直方体形状に形成されるという構成を有している。つまり、誘電体シートがそれぞれ長方形等の四辺形に形成され、これら誘電体シートが積層されることで、直方体形状にコンデンサ本体が形成されるようになる。
【００２３】
そして、コンデンサ本体の二側面にそれぞれ引き出される第１内部導体及び、これらと異なるコンデンサ本体の二側面にそれぞれ引き出される第２内部導体を請求項４の積層コンデンサは有している。従って、生産性の観点から最適な四つの側面を有する直方体形状に形成されたコンデンサ本体の全ての側面に内部導体の引き出し部分が設けられる形になり、積層コンデンサの小型化をより図り易くなる。
【００２４】
請求項６に係る積層コンデンサによれば、請求項１から請求項５の積層コンデンサと同様の構成の他に、第１内部導体が同一面内に複数配置され、これら複数の第１内部導体に対応して信号用端子電極が複数設けられるという構成を有している。つまり、本請求項の積層コンデンサよれば、コンデンサが複数内蔵されたアレー構造となっていることから、小型化が一層図れることになり、より装着スペースが小さい場合でも適用することが可能となる。
【００２５】
【発明の実施の形態】
以下、本発明に係る積層コンデンサの一実施の形態を図面に基づき説明する。
本実施の形態に係る積層コンデンサである積層貫通型コンデンサアレー１０  を図１から図５に示す。これらの図に示すように、誘電体シートであるセラミックグリーンシートを図２、図４及び図５に於ける上下方向である積層方向に沿って複数枚積層した積層体を焼成することで得られた直方体状の焼結体である誘電体素体１２を主要部として、この積層貫通型コンデンサアレー１０が構成されている。
【００２６】
図３に示すように、この誘電体素体１２内の所定の高さ位置には、誘電体素体１２の図３の左側と右側との間で延びる内部電極２１が配置されている。また、誘電体素体１２内において、セラミックグリーンシートが焼結されたものであるセラミック層１２Ａを隔てた内部電極２１の下方には、誘電体素体１２の図３の手前側と奥側との間でそれぞれ延びる複数（本形態では４つ）の内部電極２２が配置されている。
【００２７】
さらに、誘電体素体１２内においてセラミック層１２Ａを隔てた内部電極２２の下方には、内部電極２１と同様に誘電体素体１２の図３の左側と右側との間で延びる内部電極２３が、配置されている。また、誘電体素体１２内においてセラミック層１２Ａを隔てた内部電極２３の下方には、誘電体素体１２の図３の手前側と奥側との間でそれぞれ延びる複数（本形態では４つ）の内部電極２４が、内部電極２２と同様の位置関係となるように配置されている。そして、誘電体素体１２内においてセラミック層１２Ａを隔てた内部電極２４の下方には、内部電極２１と同様に誘電体素体１２の図３の左側と右側との間で延びる内部電極２５が、配置されている。
【００２８】
この為、これら内部電極２１から内部電極２５までの５層の内部電極が、コンデンサ本体である誘電体素体１２内において誘電体層であって焼成後の誘電体シートとされるセラミック層１２Ａで隔てられつつ相互に対向して配置されることになる。つまり、本実施の形態では、内部電極２１から内部電極２５の各内部電極間に少なくとも一枚のセラミック層１２Ａが挟まれ、また、内部電極２１の上側及び内部電極２５の下側に少なくとも一枚のセラミック層１２Ａがそれぞれ配置されている。
【００２９】
この際、二層の内部電極２２、２４と積層方向（図３の矢印Ｚで示す方向）でセラミック層１２Ａを介してそれぞれ重複する形で、三つの内部電極２１、２３、２５が、配置されている。さらに、第１内部導体であるこれら二層の内部電極２２、２４が信号側の内部電極とされると共に、これら内部電極２２、２４に対して相互に交差する方向に延びる第２内部導体である内部電極２１、２３、２５が接地側の内部電極とされていて、これら内部電極２２、２４及び内部電極２１、２３、２５でコンデンサの内部電極を構成する形とされている。
【００３０】
以上より、本実施の形態では、第１内部導体と第２内部導体とが交互に配置されているにも関わらず、第１内部導体が二層とされるのに対して第２内部導体が三つとされていることから、内部電極２２、２４に対して誘電体素体１２の積層方向外層側寄りに、第２内部導体である内部電極２１、２５がそれぞれ配置されることになり、これら内部電極２１、２５で二層の内部電極２２、２４を挟む形とされている。尚、これら内部電極は上記のように単に５層だけでなく、さらに多数層配置しても良く、また、これら内部電極の材質としては、例えば卑金属材料であるニッケルを主成分とする金属電極材料が考えられる。
【００３１】
さらに、図３に示すように、内部電極２１、２３、２５の左右端の部分には、誘電体素体１２の相互に対向する左右の側面１２Ｂ（図２に示す）に引き出される細幅の引出部２１Ａ、２３Ａ、２５Ａがそれぞれ形成されている。また、４つずつ二層に配置された内部電極２２、２４の手前側及び奥側の部分には、誘電体素体１２の手前及び奥の側面１２Ｃ（図２に示す）に引き出される細幅の引出部２２Ａ、２４Ａがそれぞれ形成されている。
【００３２】
従って、内部電極２１、２３、２５の引出部２１Ａ、２３Ａ、２５Ａが相互に対向する左右側の側面１２Ｂに引き出され、内部電極２２、２４の引出部２２Ａ、２４Ａがこの引き出し方向と交差する方向に引き出されるように、これら側面と異なり且つ、相互に対向する二側面１２Ｃにそれぞれ引き出された構造に、本実施の形態の積層貫通型コンデンサアレー１０はなっている。
【００３３】
他方、各内部電極２２、２４の引出部２２Ａ、２４Ａにそれぞれ接続されるように、図１及び図２に示す複数（本形態ではそれぞれの側面に４つずつ）の信号用端子電極３１〜３８が誘電体素体１２の相互に対向する手前と奥の側面１２Ｃを図２及び図５の上下方向に沿って覆う形で、誘電体素体１２の外側に配置されている。
【００３４】
つまり、図３における左端に位置する内部電極２２、２４の引出部２２Ａ、２４Ａがそれぞれ図１及び図２に示す信号用端子電極３１、３２に接続され、また左側から２番目に位置する内部電極２２、２４の引出部２２Ａ、２４Ａがそれぞれ図１及び図２に示す信号用端子電極３３、３４に接続されている。さらに、図３における左側から３番目に位置する内部電極２２、２４の引出部２２Ａ、２４Ａがそれぞれ図１及び図２に示す信号用端子電極３５、３６に接続され、また右端に位置する内部電極２２、２４の引出部２２Ａ、２４Ａがそれぞれ図１及び図２に示す信号用端子電極３７、３８に接続されている。
【００３５】
また、各内部電極２１、２３、２５の引出部２１Ａ、２３Ａ、２５Ａにそれぞれ接続されるように、図１及び図２に示す一つずつのグランド用端子電極３９、４０が誘電体素体１２の相互に対向する左右の側面１２Ｂを図２及び図４の上下方向に沿って覆う形で、誘電体素体１２の外側に配置されている。
【００３６】
そして、これら信号用端子電極３１〜３８及びグランド用端子電極３９、４０は、誘電体素体１２の積層方向の端部を形成する面である上下面１２Ｄにも、それぞれはみ出す形になっている。但し、本実施の形態では、上下面１２Ｄにはみ出した信号用端子電極３１〜３８の部分であるタレ部４１が、内部電極２１、２３、２５の図１の紙面に垂直な積層方向に沿って投影した部分に重ならないように、この信号用端子電極３１〜３８のタレ部４１を小さく形成した。これに伴い、上下面１２Ｄにはみ出した信号用端子電極３１〜３８の部分であるタレ部４１の長さＬ１が短くされ、この長さＬ１より、上下面１２Ｄにはみ出したグランド用端子電極３９、４０の部分であるタレ部４２の長さＬ２が、長くされている。
【００３７】
尚、図４及び図５に示すように、これら信号用端子電極３１〜３８及びグランド用端子電極３９、４０は、それぞれ三層構造となっている。具体的には、最内層Ａがカッパー（銅）及びフリットの焼き付けにより構成されており、また、中間層Ｂは、ニッケル電解メッキにより構成されている。さらに、最外層Ｃは、すず電気メッキにより構成されている。そして、本実施の形態では、この信号用端子電極３１〜３８が信号用として外部の回路に接続され得るようになっていると共に、グランド用端子電極３９、４０が接地用として外部の回路に接続され得るようになっている。
【００３８】
次に、本実施の形態に係る積層貫通型コンデンサアレー１０の作用を説明する。
本実施の形態に係る積層貫通型コンデンサアレー１０によれば、それぞれセラミック層１２Ａとなる誘電体シートが積層方向に沿って複数枚積層されて直方体形状に誘電体素体１２が形成されている。
【００３９】
誘電体素体１２内には、それぞれ４つずつの内部電極２２及び内部電極２４が配置されている。また、これら内部電極２２、２４と積層方向においてセラミック層１２Ａを介してそれぞれ重複した形で、三つの内部電極２１、２３、２５がこれら二層の内部電極２２、２４と交互に配置されている。この為、内部電極２２、２４に対して誘電体素体１２の積層方向（図４及び図５の矢印Ｚで示す方向）外層側寄りの位置には、内部電極２１、２５がそれぞれ配置されており、これら内部電極２１、２５で内部電極２２、２４を挟む形とされている。
【００４０】
すなわち、このような積層貫通型コンデンサアレーは、信号ライン用の内部電極２２、２４とグランドライン用の内部電極２１、２３、２５との間で静電容量を生じさせるが、本実施の形態の積層貫通型コンデンサアレー１０では、最外層の内部電極を必ずグランドライン用の第２内部導体である内部電極２１、２５とする構成にした。
【００４１】
さらに、誘電体素体１２の相互に対向する二側面１２Ｃを覆う形で配置される信号用端子電極３１〜３８が内部電極２２、２４にそれぞれ接続されており、また同じく誘電体素体１２の相互に対向する二側面１２Ｂを覆う形で配置されるグランド用端子電極３９、４０が内部電極２１、２３、２５にそれぞれ接続されている。
【００４２】
そして、本実施の形態では、誘電体素体１２の上下面１２Ｄにはみ出した信号用端子電極３１〜３８のタレ部４１が、図１に示すように、積層方向（図１の紙面に垂直な方向）に沿って投影した内部電極２１、２３、２５の部分に重ならないように小さく形成されている。これに伴い、誘電体素体１２の上下面１２Ｄにはみ出したグランド用端子電極３９、４０のタレ部４２の長さＬ２が、この誘電体素体１２の上下面１２Ｄにはみ出した信号用端子電極３１〜３８のタレ部４１の長さＬ１より、長くされている。
【００４３】
つまり、本実施の形態では、減衰特性を重視し、グランドライン用の内部電極２１、２３、２５がある程度大きくなっても良いように、誘電体素体１２の上下面１２Ｄにはみ出した信号用端子電極３１〜３８のタレ部Ｌ１の長さを短くして、この内部電極２１、２３、２５と信号用端子電極３１〜３８のタレ部Ｌ１との重複を無くすようにした。
【００４４】
さらに、このはみ出した信号用端子電極３１〜３８のタレ部４１の長さＬ１より、同じく誘電体素体１２の上下面１２Ｄにはみ出したグランド用端子電極３９、４０のタレ部４２の長さＬ２を長くするようにして、このタレ部４２の長さＬ２が長くなったグランド用端子電極３９、４０で、図４に示す基板４３のグランドランド４４との間の図示しないはんだによる固着強度を向上するようにした。
【００４５】
以上より本実施の形態によれば、浮遊静電容量の寄生が無くなって浮遊静電容量の影響による静電容量値の変化を小さく制御できる積層貫通型コンデンサアレー１０が得られるようになり、これに伴い、クロストークが小さくなって、寄生発信が無く、発信周波数等の周波数特性のずれの無い高信頼性で小型高性能の積層貫通型コンデンサアレー１０となった。
【００４６】
一方、本実施の形態に係る積層貫通型コンデンサアレー１０の製造に際して、それぞれ長方形等の四辺形に形成された誘電体シートを積層することで、誘電体素体１２を直方体形状に形成した。
【００４７】
これに伴い、本実施の形態の積層貫通型コンデンサアレー１０は、それぞれ誘電体素体１２の二側面１２Ｃにそれぞれ引き出されている４つの内部電極２２、４つの内部電極２４及び、これらと異なる二側面１２Ｂに引き出されている三つ内部電極２１、２３、２５を有している。従って、生産性の観点から最適な四つの側面１２Ｂ、１２Ｃを有する直方体形状に形成された誘電体素体１２の全ての側面１２Ｂ、１２Ｃに内部電極の引き出し部分が設けられる形になり、積層貫通型コンデンサアレー１０の小型化をより図り易くなる。
【００４８】
次に、ネットワークアナライザを用いて、以下の各試料の特性を測定し、各試料の減衰特性をそれぞれ求めた。
まず、各試料となるサンプルの内容及び減衰特性測定回路を説明する。つまり、図８及び図９に示す積層貫通型コンデンサアレーを従来例とし、図１から図５に示す実施の形態に係る積層貫通型コンデンサアレーを実施例とした。さらに、図７に示す発振器５１、２つの抵抗５２、５３及びメータ５４を有した減衰特性測定回路内に、サンプル５５を配置することで、各サンプルの特性を測定した結果が、この減衰特性測定回路のメータ５４により表示される形になっている。
【００４９】
そして、図６のグラフに示すように、従来例の減衰特性を表す特性曲線Ａのデータ及び、実施例の減衰特性を表す特性曲線Ｂのデータから、図６のグラフの横軸上に於ける点Ｃで表す２６００ＭＨｚにおいて、従来例の特性曲線Ａの共振点が位置するのに対して、同じく点Ｄで表す３１００ＭＨｚにおいて、実施例の特性曲線Ｂの共振点が位置することが判る。
【００５０】
この結果として、この図６のグラフのデータから、従来例と比較して実施例の共振点が５００ＭＨｚ程度高周波数側寄りに位置することが判り、これに伴い、実施例において浮遊静電容量が無いか或いは小さく、適正な周波数で共振点が生じることが確認されたことになる。
【００５１】
尚、上記実施の形態に係る積層貫通型コンデンサアレー内には、５層の内部電極が配置されていたが、層数はこれらの数に限定されずさらに多数とし、例えば層数を例えば数十或いは数百としても良い。さらに、上記実施の形態では、コンデンサ本体の相互に対向する二側面に各内部導体がそれぞれ引き出されていたが、一方の側面にのみ内部導体を引き出す構造とし、これに合わせて一方の側面にのみ信号用端子電極及びグランド用端子電極を配置するような積層コンデンサアレーの構造としても良い。
【００５２】
一方、上記実施の形態では、第１内部導体が同一面内に４つ配置される構造となっているが、この第１内部導体を２つ、３つ或いは、５つ以上配置するようにしても良い。また、同一面内に複数配置された第１内部導体を単一として、同一面内に一つのみ第１内部導体を配置した単なる積層貫通型コンデンサの構造としても良い。
【００５３】
【発明の効果】
本発明によれば、浮遊静電容量の寄生を無くした積層コンデンサを提供することが可能となる。
【図面の簡単な説明】
【図１】本発明の一実施の形態に係る積層貫通型コンデンサアレーの平面図である。
【図２】本発明の一実施の形態に係る積層貫通型コンデンサアレーを示す斜視図である。
【図３】本発明の一実施の形態に係る積層貫通型コンデンサアレーの分解斜視図である。
【図４】本発明の一実施の形態に係る積層貫通型コンデンサアレーが基板に搭載された状態を示す断面図であって、図１の４−４矢視線断面に対応する図である。
【図５】本発明の一実施の形態に係る積層貫通型コンデンサアレーを示す断面図であって、図１の５−５矢視線断面に対応する図である。
【図６】各サンプルの減衰特性を表すグラフを示した図である。
【図７】各サンプルの減衰特性を測定する為の減衰特性測定回路を示した図である。
【図８】従来技術に係る積層貫通型コンデンサアレーの平面図である。
【図９】従来技術に係る積層貫通型コンデンサアレーが基板に搭載された状態を示す断面図であって、図８の９−９矢視線断面に対応する図である。
【図１０】内部電極とタレ部との間の重なり面積と浮遊静電容量との関係を表すグラフを示した図である。
【符号の説明】
１０          積層貫通型コンデンサアレー（積層コンデンサ）
１２          誘電体素体（コンデンサ本体）
１２Ａ        セラミック層（誘電体シート）
１２Ｂ        側面
１２Ｃ        側面
１２Ｄ        上下面
２１          内部電極（第２内部導体）
２２          内部電極（第１内部導体）
２３          内部電極（第２内部導体）
２４          内部電極（第１内部導体）
２５          内部電極（第２内部導体）
３１〜３８    信号用端子電極
３９、４０    グランド用端子電極
４１          タレ部
４２          タレ部
【図１】
2005019500.tif 000003
【図２】
2005019500.tif 000004
【図３】
2005019500.tif 000005
【図４】
2005019500.tif 000006
【図５】
2005019500.tif 000007
【図６】
2005019500.tif 000008
【図７】
2005019500.tif 000009
【図８】
2005019500.tif 000010
【図９】
2005019500.tif 000011
【図１０】
2005019500.tif 000012